(57)【要約】      （修正有）【課題】足底部のクッション材を洗濯時に取り外すことができ、シューズ全体の洗濯が容易であるルームシューズを提供する。  【解決手段】ルームシューズは、全体を洗濯可能な布地で構成し、使用者の足甲部を覆う甲被部２と、甲被部２の湾曲下周辺が縫着された平坦な足底部とからなり、この足底部は内側布６と外側布１０との間でクッション材５を挟み込んで保持しており、足底部の内側布６は部分的に重合する前方部６ａおよび後方部６ｂからなり、ルームシューズの洗濯時に内側布６の前方部６ａまたは後方部６ｂを裏返して外側布１０との間に取り出し用間隙を生じさせる。クッション材５が取り出し用間隙から引き出されると、布製のシューズ本体だけを洗濯することができる。【選択図】図３
0003230002.tif 000002
【実用新案登録請求の範囲】
【請求項１】
全体を洗濯可能な布地で構成するルームシューズであって、使用者の足甲部を覆う甲被部と、該甲被部の湾曲下周辺が縫着された平坦な足底部とからなり、この足底部は内側布と外側布との間でクッション材を挟み込んで保持しており、足底部の内側布は部分的に重合する前方部および後方部からなり、ルームシューズの洗濯時に内側布の前方部または後方部を裏返して外側布との間に取り出し用間隙を生じさせることにより、洗濯の際に足底部からクッション材だけを引き出すことができる洗濯容易なルームシューズ。
【請求項２】
内側布の前方部および後方部の重合個所を足底部の後方に配置するとともに、踵掛け部を足底部後方に縫い付け、クッション材の交換時に踵掛け部さらに内側布の後方部を裏返して外側布との間に取り出し用間隙を生じさせる請求項１記載のルームシューズ。
【請求項３】
内側布の前方部および後方部の重合個所を足底部のほぼ中間に配置し、クッション材の交換時に甲被部さらに内側布の後方部を裏返して外側布との間に取り出し用間隙を生じさせる請求項１記載のルームシューズ。
【請求項４】
内側布の前方部および後方部の重合個所を足底部の前方に配置し、クッション材の交換時に甲被部さらに内側布の前方部を裏返して外側布との間に取り出し用間隙を生じさせる請求項１記載のルームシューズ。
【請求項５】
足底部において、内側布の前方部および後方部は通気性を有するダブルメッシュ生地であり、外側布は滑り止め突起付きのポリエステル生地またはスエード調ポリエステル生地であり、クッション材はポリウレタンフォームまたは発泡ポリエチレンである請求項１記載のルームシューズ。
【考案の詳細な説明】
【技術分野】
【０００１】
本考案は、足底部のクッション材を洗濯時に取り外すことができるのでシューズ全体の洗濯が容易であるルームシューズに関する。
【背景技術】
【０００２】
ルームシューズは、室外を歩かないので分厚いアウターソールを備えていない点で一般の靴と異なり、スリッパと同様に室内履きに特化した商品である。通常のルームシューズは、使用者の足裏に適度な緩衝性を付加するために、実用新案登録第３１１３７０８号や実用新案登録第３２２４０４２号のように足底部の内部にポリウレタンフォームや発泡ポリエチレンなどのクッション材を介在させる。実用新案登録第３１１３７０８号は外縫いタイプのスリッパに関し、甲被部や足底部に洗濯可能な布材を用いることにより、快適な履き心地と洗濯時における速乾性を付与している。
【０００３】
実用新案登録第３１１３７０８号のスリッパを洗濯する際には、布材は速乾性であり且つ内部のポリウレタンフォームのクッション材が独立気泡であっても、洗濯時にクッション材自体およびクッション材と布地の間に水を含んで容易に乾燥せず、全体の乾燥が完了するまでに数日を要してしまう。これに対して、実開昭６０−１６７５０１号、特開２０００−１５７３０１号、特開２００９−２７５３６６号は、スリッパの足底部または該足底部内のクッション材をスリッパ本体から着脱自在に分離し、スリッパ本体またはクッション材だけを洗濯することで部分的な洗濯を可能にしている。  
【先行技術文献】
【特許文献】
【０００４】
【特許文献１】実用新案登録第３１１３７０８号号公報
【特許文献２】実用新案登録第３２２４０４２号公報
【特許文献３】実開昭６０−１６７５０１号公報
【特許文献４】特開２０００−１５７３０１号公報
【特許文献５】特開２００９−２７５３６６号公報
【考案の概要】
【考案が解決しようとする課題】
【０００５】
部分的に洗濯可能なスリッパにおいて、特開２０００−１５７３０１号に開示のスリッパは、洗濯時に板状の緩衝部材であるスリッパ底部を分離するけれども、スリッパ本体には不織布の芯材およびスポンジ状の中間部材を含んでいる。このため、スリッパ本体は、不織布の芯材およびスポンジ中間部材の存在によって乾燥に時間を要することは従来と同様である。特開２００９−２７５３６６号は、芯材を入れたカバー付きの底敷きをスリッパ本体の足底部上に敷き、該底敷きだけを取り外して洗濯または汚れを拭き取る。このスリッパは構造が単純であっても、足底部上に敷いたカバー付きの底敷きが使用中に滑りやすく、スリッパとしての使用感が良くない。
【０００６】
また、実開昭６０−１６７５０１号に開示のスリッパでは、足底部や甲被部に設けた入れ出し口からクッション材を取り出し、該クッション材だけを洗濯することが可能である。この入れ出し口は足底部の裏側だけでなく表側に設けることもできるが、該入れ出し口は開放されているのでクッション材の一部が露出していて美観的に好ましくない。さらに、この入れ出し口を足底部の表側に設けるならば、開口状の入れ出し口およびクッション材の一部が使用者の足裏と直接接触するのでスリッパの履き心地が良くない。
【０００７】
本考案は、従来のルームシューズおよびスリッパの洗濯に関する前記の問題点を改善するために提案されたものであり、クッション材だけを洗濯前に取り出すことで布製のシューズ本体の洗濯が容易であるルームシューズを提供することを目的としている。本考案の他の目的は、使用時にはクッション材が足底部内部に完全に収納されており、洗濯時にだけクッション材の取り出し用間隙を生じさせる洗濯容易なルームシューズを提供することである。
【課題を解決するための手段】
【０００８】
本考案に係る洗濯容易なルームシューズは全体を洗濯可能な布地で構成し、使用者の足甲部を覆う甲被部と、該甲被部の湾曲下周辺が縫着された平坦な足底部とからなる。本考案に係るルームシューズでは、足底部は内側布と外側布との間でクッション材を挟み込んで保持しており、足底部の内側布は部分的に重合する前方部および後方部からなり、ルームシューズの洗濯時に内側布の前方部または後方部を裏返して外側布との間に取り出し用間隙を生じさせることにより、洗濯の際に足底部からクッション材だけを引き出すことができる。
【０００９】
本考案に係るルームシューズにおいて、内側布の前方部および後方部の重合個所を足底部の後方に配置するとともに、踵掛け部を足底部後方に縫い付け、クッション材の交換時に踵掛け部さらに内側布の後方部を裏返して外側布との間に取り出し用間隙を生じさせると好ましい。また、内側布の前方部および後方部の重合個所を足底部のほぼ中間に配置し、クッション材の交換時に甲被部さらに内側布の後方部を裏返して外側布との間に取り出し用間隙を生じさせてもよい。さらに、内側布の前方部および後方部の重合個所を足底部の前方に配置し、クッション材の交換時に甲被部さらに内側布の前方部を裏返して外側布との間に取り出し用間隙を生じさせることも可能である。
【００１０】
本考案に係るルームシューズでは、足底部において内側布の前方部および後方部は通気性を有するダブルメッシュ生地であり、外側布は滑り止め突起付きのポリエステル生地またはスエード調ポリエステル生地であり、クッション材はポリウレタンフォームまたは発泡ポリエチレンであると好ましい。
【考案の効果】
【００１１】
本考案に係るルームシューズでは、その洗濯時にクッション材を足底部から引き出して除き、残りの布製シューズ本体だけを洗濯できるから、該シューズ本体の洗濯が容易であるうえに速く乾いて便利である。本考案のルームシューズは、使用時にはクッション材が内側布と外側布によって足底部内部に完全に収納され、取り出し用間隙は使用時に封鎖されているから、クッション材の一部が使用者の足裏と直接接触することなく、ルームシューズの履き心地も良好である。  
【００１２】
本考案のルームシューズは、使用を続けてシューズ全体が汚れてきたら、内側布の後方部または前方部を裏返し、外側布との間に取り出し用間隙を生じさせ、クッション材を足底部から引き出すだけでよい。このクッション材を取り出し用間隙から引き出し、布製シューズ本体だけを洗濯するとクッション材がないので乾燥が早くなり、引き出したクッション材は使用継続が可能ならば洗濯後の布製シューズ本体に再装入すればよく、汚れていれば市販のインソールに交換すればよい。
【図面の簡単な説明】
【００１３】
【図１】本考案に係るルームシューズの一例を示す斜視図である。
【図２】図１のルームシューズについて甲被部を除いた足底部の平面図である。
【図３】図１のルームシューズについてシューズ後方を示す要部断面図である。
【図４】踵掛け部および内側布の後方部を裏返した状態を示す図３と同様の要部拡大断面図である。
【図５】ルームシューズの別の例を示す斜視図である。
【図６】図５のルームシューズについて甲被部を除いた足底部の平面図である。
【図７】図５のルームシューズについてシューズ後方を示す要部断面図である。
【図８】ルームシューズのさらに別の例を示す斜視図である。
【図９】図８のルームシューズについて甲被部を除いた足底部の平面図である。
【図１０】図８のルームシューズについてシューズ前方を示す要部拡大断面図である。
【考案を実施するための形態】
【００１４】
本考案に係るルームシューズ１は、図１に例示するように使用者Ａの足甲部を覆う甲被部２と、該甲被部の湾曲下周辺２ａが縫着された平坦な足底部３とを有し、市販のスリッパと同様の室内用途であり、室内履きに特化した商品である。ルームシューズ１は、足底部３内部のクッション材５（図３）を除いてシューズ全体を洗濯可能な布地で構成し、速乾性の薄布地を用いると好ましい。ルームシューズ１は、甲被部２が足底部３に包み込まれる吊り込み型であると、甲被部２や足底部３の内側布６の裏返しが容易であるので好ましい。
【００１５】
ルームシューズ１の甲被部２は、使用者Ａの足甲部を覆うように通常Ｕ字形状に横断面が湾曲しており、爪先部８は封鎖または開放形のいずれでもよい。甲被部２の素材は、洗濯可能で触感が良好で且つ速乾性の布地であり、例えば、通気性を有するシングルまたはダブルのポリエステルメッシュ生地、薄いタオル生地などである。図５や図８に示す甲被部２は、クッション材５の交換時に裏返すことを要するので、ルームシューズ１に比べて縦長さが短めで伸縮性が高いことが望ましい。
【００１６】
ルームシューズ１の足底部３は、図２に示すように足型に近い長細い平面形状を有する。足底部３は、図３に示すように薄布地である内側布６および外側布１０と、該内側布および外側布との間に挟み込むクッション材５で構成する。望ましくは、内側布６の素材はポリエステルのシングルまたはダブルメッシュ生地または薄いタオル生地などであり、外側布１０の素材は滑り止め突起付きのポリエステル生地またはスエード調ポリエステル生地などであり、クッション材５の素材はポリウレタンフォームまたは発泡ポリエチレンなどである。
【００１７】
内側布６は、足底部３の平面形状に相当する前方部６ａおよび該前方部の残余に相当する後方部６ｂからなり、前方部６ａまたは後方部６ｂの布地はクッション材５の交換時に裏返すことを要するので伸縮性を有することが望ましい。前方部６ａと後方部６ｂの重合部分６ｃは、クッション材５の取り出し口でもあり、通常、後方部６ｂを前方部６ａよりも上方に位置させ、不時の開口を防ぐために両者の接触部に面ファスナー（図示しない）を取り付けてもよい。重合部分６ｃは、足底部３において直交方向のいずれの位置にも配置することが可能である。また、重合部分６ｃは、一般に直線状であるが、所望に応じて後方部６ｂの前縁または前方部６ａの後縁を湾曲させてもよい。
【００１８】
例えば、図２では内側布６の重合個所６ｃを足底部３の後方に配置するとともに、踵掛け部１４を足底部後方に縫い付ける。重合個所６ｃが踵掛け部１４によって隠れるような位置に配置されると好ましい。図６では内側布の重合個所を足底部のほぼ中間に配置させ、この重合個所が甲被部によって隠れるような位置に配置されると好ましい。また、図９では内側布の重合個所を足底部の前方に配置し、この重合個所は甲被部によって隠れるような位置に配置されている。
【００１９】
ルームシューズ１は、図１に示すように使用者Ａの足甲部を甲被部２に入れて使用する。使用を継続してルームシューズ全体が汚れてきたら、内側布６の後方部６ｂ（図２参照）または前方部（図９参照）を図４のように裏返し、外側布１０との間に取り出し用間隙１２を生じさせる。この際に、図１のようにルームシューズ１の後方に踵掛け部１４を縫着しているならば後方部６ｂの前に踵掛け部１４を裏返し、図５や図８の場合であれば前もって甲被部を裏返す。
【００２０】
クッション材５が図４において取り出し用間隙１２から矢印方向へ引き出されると、布製のシューズ本体だけを洗濯することができる。シューズ本体だけであると洗濯が容易なうえに、クッション材５がないので乾燥も早くなる。引き出したクッション材５は、使用継続が可能ならば洗濯後の布製シューズ本体に再装入すればよく、汚染が進んでいたりクッション性を失っていれば市販のインソールに交換すればよい。
【実施例１】
【００２１】
次に、本考案を実施例に基づいて説明するが、本考案は実施例に限定されることはない。図１に示すルームシューズ１は、使用者Ａの足甲部を覆う甲被部２と、該甲被部の湾曲下周辺２ａが縫着された平坦な足底部３と、使用者Ａの踵部を覆う踵掛け部１４とを有する。ルームシューズ１は、足底部３内部のクッション材５（図３）を除いて、シューズ全体を洗濯可能で速乾性の薄布地を用いる。
【００２２】
ルームシューズ１の甲被部２は、使用者Ａの足甲部を覆うように通常Ｕ字形状に横断面が湾曲し、両縁部６ｃ、６ｃは足底部３の後半に位置する。甲被部２の素材は、上方の目が荒いポリエステルのダブルメッシュ生地である。
【００２３】
一方、足底部３は、図２に示すように足型に近い長細い平面形状を有し、内側布６および外側布１０（図３）を平面足形状に縫着する。内側布６の素材は上方の目が甲被部２よりも細かいポリエステルのダブルメッシュ生地であり、外側布１０の素材は滑り止め突起１６付きのポリエステル生地であり、クッション材５の素材は曲げやすいポリウレタンフォームである。クッション材５は内側布６および外側布１０との間に挟み込む。
【００２４】
内側布６は、足底部３の全長の約５／６に達する長さの前方部６ａと、該前方部よりも遙かに短寸の後方部６ｂからなり、後方部６ｂはクッション材５の交換時に裏返すことを要するので伸縮性を有する。前方部６ａの後端辺は内側布６の後端から３．５ｃｍであり、後方部６ｂの前端辺は内側布６の後端から５ｃｍである。前方部６ａと後方部６ｂの重合部分６ｃにおいて、その当接個所に自由開放を防ぐための面ファスナーを取り付けてもよい。重合部分６ｃは踵掛け部１４によって隠れるような位置に形成する。
【００２５】
ルームシューズ１は、図１に示すように使用者Ａの足甲部を甲被部２に入れて使用する。使用を継続してルームシューズ全体が汚れてきたら、内側布６の後方部６ｂを図４のように裏返し、外側布１０との間に取り出し用間隙１２を生じさせる。この際に、図１のようにルームシューズ１の後方に踵掛け部１４を縫着しているので、後方部６ｂの裏返し前に踵掛け部１４を裏返しておく。
【００２６】
図４において、取り出し用間隙１２からクッション材５を矢印方向へ引き出し、布製シューズ本体だけを洗濯すると洗濯が容易なうえに、クッション材５がないので乾燥も早くなる。引き出したクッション材５は、使用継続が可能ならば洗濯後の布製シューズ本体に再装入すればよい。
【実施例２】
【００２７】
図５に示すルームシューズ１８はスリッパ状であり、使用者の足甲部を覆う甲被部２０と、平坦な足底部２２とを有し、該足底部の周囲に形成した低周辺部２４は側部において甲被部２０と一体化する。ルームシューズ１８は、足底部２２内部のクッション材２６（図７）を除いて、シューズ全体を洗濯可能な布地を用いる。
【００２８】
ルームシューズ１８の甲被部２０は、使用者の足甲部を覆うように通常Ｕ字形状に断面が湾曲し、甲被部２０の素材は上方の目が荒いポリエステルのダブルメッシュ生地である。甲被部２０は、クッション材２６の交換時に裏返すことを要するので、実施例１の甲被部２に比べて短くで伸縮性が比較的高い。
【００２９】
一方、足底部２２は、図６に示すように足型に近い長細い平面形状を有し、内側布２８および外側布３０（図７）を平面足形状に縫着する。内側布２８の素材はタオル地であり、外側布３０の素材はポリエステルのスエード調生地であり、クッション材２６の素材は曲げやすいポリウレタンフォームである。クッション材２６は内側布２８および外側布３０との間に挟み込む。
【００３０】
内側布２８は、図６に示すようにほぼ縦長さが等しい前方部２８ａおよび後方部２８ｂからなり、後方部２８ｂの布地はクッション材２６の交換時に裏返すことを要するので伸縮性を有する。前方部２８ａと後方部２８ｂの重合部分２８ｃでは、通常、後方部２８ｂが前方部２８ａよりも上方に位置する。重合部分２８ｃは、甲被部２０によって隠れるような位置に形成すると好ましい。
【００３１】
ルームシューズ１８について、使用を継続してルームシューズ全体が汚れてきたら、内側布２８の後方部２８ｂを裏返し、外側布３０との間に取り出し用間隙を生じさせる。この際に、重合部分２８ｃは甲被部２０の下方に位置するから、後方部２８ｂの裏返し前に甲被部２０を前もって裏返しておく。
【００３２】
クッション材２６を前方部２８ａと後方部２８ｂとの間から引き出し、布製シューズ本体だけを洗濯すると洗濯が容易なうえに、クッション材２６がないので乾燥も早くなる。引き出したクッション材２６は、使用継続が可能ならば洗濯後の布製シューズ本体に再装入すればよく、汚染が進んでいたりクッション性を失っていれば市販のインソールに交換すればよい。
【実施例３】
【００３３】
図８に示すルームシューズ３２はスニーカー状であり、使用者の足甲部を覆う甲被部３４と、平坦な足底部３６とを有し、該足底部の周囲に形成した周辺部３７は側部において甲被部３４と一体化する。ルームシューズ３２は、足底部３６内部のクッション材３８（図１０）を除いて、シューズ全体を洗濯可能な布地を用いる。ルームシューズ３２は、足底部３６内部のクッション材３８（図１０）を除いて、シューズ全体を洗濯可能な布地を用いる。
【００３４】
ルームシューズ３２の甲被部３４は、使用者の足甲部を覆うように通常Ｕ字形状に断面が湾曲し、甲被部３４の素材はポリエステルのダブルメッシュ生地である。甲被部３４は、クッション材３８の交換時に裏返すことを要するので、実施例１の甲被部２に比べて短くで伸縮性が比較的高い。
【００３５】
一方、足底部３６は、図９に示すように足型に近い長細い平面形状を有し、内側布４０および外側布４２（図１０）を平面足形状に縫着する。内側布４０の素材はポリエステルのダブルメッシュ生地であり、外側布４２の素材はポリエステルのスエード調生地であり、クッション材３８の素材は曲げやすいポリウレタンフォームである。クッション材３８は内側布４０および外側布４２との間に挟み込む。
【００３６】
内側布４０は、図９に示すように後縁が直線状である前方部４０ａおよび湾曲状の前縁を除いて全長に達する後方部４０ｂからなり、前方部４０ａの素材はクッション材３８の交換時に裏返すことを要するので伸縮性を有する。前方部４０ａと後方部４０ｂの重合部分４０ｃでは、後方部４０ｂが前方部４０ａよりも上方に位置する。前方部４０ａの後縁を湾曲状にしたり、後方部４０ｂの前縁を直線状にすることも可能である。
【００３７】
ルームシューズ３２について、使用を継続してルームシューズ全体が汚れてきたら、内側布４０の前方部４０ａを裏返し、外側布４２との間に取り出し用間隙を生じさせる。この際に、重合部分４０ｃは甲被部３４の下方に位置しているから、後方部４０ｂの裏返し前に甲被部３４を前もって裏返しておく。
【００３８】
クッション材３８を前方部４０ａと後方部４０ｂとの間から引き出し、布製シューズ本体だけを洗濯すると洗濯が容易なうえに、クッション材３８がないので乾燥も早くなる。引き出したクッション材３８は、使用継続が可能ならば洗濯後の布製シューズ本体に再装入すればよく、汚染が進んでいたりクッション性を失っていれば市販のインソールに交換すればよい。
【符号の説明】
【００３９】
１  ルームシューズ  
２  甲被部  
３  足底部
５  クッション材  
６  足底部の内側布  
６ａ  内側布の前方部
６ｂ  内側布の後方部
１０  足底部の外側布
１２  取り出し用間隙
【図１】
0003230002.tif 000003
【図２】
0003230002.tif 000004
【図３】
0003230002.tif 000005
【図４】
0003230002.tif 000006
【図５】
0003230002.tif 000007
【図６】
0003230002.tif 000008
【図７】
0003230002.tif 000009
【図８】
0003230002.tif 000010
【図９】
0003230002.tif 000011
【図１０】
0003230002.tif 000012